(57)【要約】【課題】高デューティで駆動する場合でも、有機ＥＬ表示装置において横クロストークや輝度むらの発生を抑制する。【解決手段】走査配線に選択電圧を印加する選択期間中における定電流期間において定電流回路からデータ配線に定電流を供給した後に、ハイインピーダンス期間においてデータ配線をハイインピーダンス状態にし、ハイインピーダンス状態にした後、次の選択期間が開始されるまでの間（休止期間）においてデータ配線に接地電位よりも高い所定電圧を印加する。所定電圧として、有機ＥＬ素子の発光開始電圧に略等しく、かつ該発光開始電圧以下の電圧を選択する。【選択図】図１
2007121925.tif 000002
【特許請求の範囲】
【請求項１】
交差するように配置された複数の走査配線と複数のデータ配線との間に発光素子としての有機薄膜が配置され、それぞれのデータ配線がデータドライバに接続され、それぞれのデータドライバには定電流回路が備えられた有機ＥＬ表示装置を、単純マトリックス駆動によって駆動する駆動方法において、
走査配線に選択電圧を印加する選択期間中に、前記定電流回路からデータ配線に定電流を供給した後にデータ配線をハイインピーダンス状態にし、
ハイインピーダンス状態にした後、次の選択期間が開始されるまでの間にデータ配線に接地電位よりも高い所定電圧を印加する期間を設ける
ことを特徴とする有機ＥＬ表示装置の駆動方法。
【請求項２】
所定電圧として有機薄膜の発光開始電圧に略等しく、かつ該発光開始電圧以下の電圧を印加する
請求項１に記載の有機ＥＬ表示装置の駆動方法。
【請求項３】
発光素子の周囲温度を測定し、測定結果に応じて所定電圧の値を変化させる
請求項１または請求項２に記載の有機ＥＬ表示装置の駆動方法。
【請求項４】
交差するように配置された複数の走査配線と複数のデータ配線との間に発光素子としての有機薄膜が配置され、それぞれのデータ配線がデータドライバに接続され、それぞれのデータドライバには定電流回路が備えられた有機ＥＬ表示装置の駆動回路において、
走査配線に選択電圧を印加する選択期間中に、前記定電流回路からデータ配線に定電流を供給する定電流供給手段と、
前記定電流供給手段がデータ配線に定電流を供給した後、データ配線をハイインピーダンス状態にするハイインピーダンス設定手段と、
接地電位よりも高い所定電圧を生成する所定電圧生成手段と、
前記ハイインピーダンス設定手段がデータ配線をハイインピーダンス状態にした後、次の選択期間が開始されるまでの間に前記所定電圧生成手段が生成した前記所定電圧をデータ配線に印加する電圧印加手段とを備えた
ことを特徴とする有機ＥＬ表示装置の駆動回路。
【請求項５】
所定電圧生成手段は、所定電圧として有機薄膜の発光開始電圧に略等しく、かつ該発光開始電圧以下の電圧を生成し、
電圧印加手段は、データ配線に所定電圧を印加する期間では、前記所定電圧生成手段から供給される前記所定電圧を選択して前記データ配線に印加する
請求項４に記載の有機ＥＬ表示装置の駆動回路。
【請求項６】
有機薄膜の周囲温度を測定する温度測定手段を備え、
所定電圧生成手段は、所定電圧を変化させることが可能な可変電圧発生手段を含み、
前記可変電圧発生手段は、前記温度測定手段の測定結果に応じて前記所定電圧を変化させる
請求項４または請求項５に記載の有機ＥＬ表示装置の駆動回路。
【発明の詳細な説明】
【技術分野】
【０００１】
本発明は、有機エレクトロルミネッセンス発光素子を用いた有機ＥＬ表示装置の駆動方法および駆動回路に関する。
【背景技術】
【０００２】
有機ＥＬ（エレクトロルミネッセンス)表示装置は、対向して設けられた陽極と陰極との間に配置された有機ＥＬ素子に電流が供給されると自発光する電流駆動型の表示装置である。有機ＥＬ素子は、陽極配線と陰極配線、およびそれらの間に存在する有機薄膜で形成される。両電極配線に挟持された有機薄膜には無視できない容量が生ずる。また、有機ＥＬ素子は、半導体発光ダイオードに似た特性を有している。陽極配線側を高電圧側とし、所定の電圧を両電極配線間に印加して有機薄膜に電流を供給すると発光する。逆に、陰極配線側を高電位とした場合には電流がほとんど流れず発光しない。そのため、有機ＥＬ素子は、有機ＬＥＤと呼ばれることもある。
【０００３】
有機ＥＬ素子に定電圧を印加した際、その発光輝度は温度変化や経時変化によって大きく変動する。しかし、電流値に対する有機ＥＬ素子の発光輝度の変動は小さい。所定の表示輝度を得るために、駆動回路に定電流回路を設けて、それぞれの有機ＥＬ素子に定電流を供給する、定電流性の駆動方法を用いることが一般的である。
【０００４】
図８（ａ）は、マトリックス電極の各画素部に有機ＥＬ素子がそれぞれ配置された有機ＥＬ表示装置を模式的に示す斜視図、図８（ｂ）は、その断面図である。陽極に接続されるかまたは陽極そのものを形成する複数の陽極配線２が配置され、それに直交する方向に、陰極に接続されるかまたは陰極そのものを形成する複数の陰極配線１が配置される。陰極配線１と陽極配線２の交点が画素になり、両電極間に有機薄膜３が挟持される。このように、ガラス基板４上に有機ＥＬ素子によって構成された画素がマトリックス状に平面配置される。
【０００５】
単純マトリックス駆動法で有機ＥＬ表示装置の表示を行う方法について説明する。以下、陰極配線１を選択電圧が印加される走査配線、陽極配線２をデータに応じて駆動されるデータ配線とする。定電圧回路が備えられた走査ドライバに走査配線を接続する。走査配線に対して定電圧性の駆動を行う。そして、走査配線のうちの１本を選択電圧が印加されている選択状態、残りを選択電圧が印加されていない非選択状態として、走査配線を順次走査する。一般的に、走査配線の一方の端から他方の端に対して選択期間毎に１つの走査配線を順次に選択電圧を印加する走査を行い、一定の期間の間にすべての走査配線を走査し、所定の駆動電圧を印加する。
【０００６】
なお、駆動を行う際に、陽極配線２および陰極配線１を、走査配線またはデータ配線のいずれにも設定できる。つまり、陽極配線２を走査配線とし、陰極配線１をデータ配線とするか、または陽極配線２をデータ配線、陰極配線１を走査配線として使用できる。両電極は駆動を行う上で互換性を有している。有機ＥＬ素子の極性と電極との関係を調整して配置すればよい。一般的には、データ配線を陽極配線２に対応させ、走査配線を陰極配線１に対応させることが多い。なお、表示画面を人間が見るときの上下左右にかかわらず、走査配線に対して平行に配列した方向の画素の並びを「行」、データ配線に対して平行な方向に配列した画素の並びを「列」とも呼ぶことにする。
【０００７】
データ配線は、出力段に定電流回路を備えたデータドライバに接続される。そして、選択した走査配線の表示パターンに対応する表示データを、走査に同期してすべてのデータ配線に供給する。定電流回路からデータ配線に供給された電流パルスは、選択した走査配線とデータ配線との交点に位置する有機ＥＬ素子を通して、選択されている走査配線に流れる。
【０００８】
有機ＥＬ素子の画素は、その画素が接続された走査配線が選択されていて、かつデータ配線から電流が供給されている期間だけ発光する。データ配線から電流の供給が止まると発光も停止する。このようにして、データ配線と走査配線との間に挟持された有機薄膜に対して電流を供給し、すべての走査配線の走査を順次繰り返す。そして、所望の表示パターンに応じて表示画面全体の画素の発光・非発光を制御する。
【０００９】
陰極に接続されるかまたは陰極そのものを形成する走査配線は以下の電位条件を満たすことが必要である。まず、選択状態の走査配線の電位を、非選択状態の走査配線の電位より低く設定しなければならない。そのため、選択状態の走査配線の電位をグラウンド（接地）電位とし、非選択状態の走査配線電位に接地電位より高い電位を与えるように駆動を行う。
【００１０】
列側のデータ配線に対して、その出力データが「画素」を発光させるオンデータである場合には定電流を供給する。出力データが「画素」を非発光とさせるオフデータである場合には、接地電位に等しい定電圧の出力を供給する。つまり、「画素」がオンかオフかによって、定電流性出力または定電圧性出力の間で切り替わるように構成されている。データ配線に対して定電流出力をするのは、上述したように発光輝度を電流値で制御するためである。
【００１１】
また、有機ＥＬ素子に流れる電流の方向は、陽極配線２であるデータ配線から有機薄膜３を通して、陰極配線１である走査配線へ流れるように設定される。そのため、データ配線の電位を、選択状態にある走査配線の電位である接地電位より高く設定する。
【００１２】
図９の等価回路図に示すように、有機ＥＬ素子は電気的にダイオードのような特性を示すとともに容量性の特性をも示す。定電流回路が備えられたデータドライバから画素に電流を供給し、選択電圧が印加されている行の有機ＥＬ素子の画素を発光させる。しかし、同時に選択電圧が印加されていない非選択の行の画素の容量（寄生容量）を充電しなければならない。
【００１３】
表示画面を構成するマトリックスの行数が増加して、データ配線１本あたりに接続された有機ＥＬ素子の画素数が増加すると、全体の容量を充電するために必要な電流が無視できない値になる。その結果、選択電圧が印加されている行の画素に流れる電流が減少して、発光輝度が見込みの値より低くなる。
【００１４】
このような問題点を解決する二つの駆動法が提案されている。第１の駆動法はリセット駆動である。リセット駆動では、１本の走査配線から次の走査配線に駆動を切り替える際に、すべての走査配線を一旦等しい電位に設定し、その電位から充電を行って駆動を行う（例えば特許文献１参照。）。
【００１５】
第２の駆動法はプリチャージ駆動である。プリチャージ駆動では、データドライバ側に充電回路をさらに設け、所定の時間だけ各画素の有機ＥＬ素子をあらかじめ充電する。そして、有機ＥＬ素子の駆動電位を高めることによって発光輝度を向上させる（例えば特許文献２参照。）。
【００１６】
以下、あらかじめすべての走査配線を一旦等しい電位に設定したり、各画素の有機ＥＬ素子をあらかじめ充電したりすることを「容量充電」と呼ぶことにする。
【００１７】
列側がＣ１、Ｃ２、Ｃ３およびＣ４、行側がＲ１、Ｒ２、Ｒ３およびＲ４である４×４のマトリックス表示画面で、図１０に示す表示パターンの表示を行う場合の基本的な駆動波形を図１１に示す。ここでは、データドライバからの出力電流パルスの時間幅を変更して行う駆動法について説明する。
【００１８】
図１１に示すように、最大輝度（１００％輝度）で発光させる画素に対して、選択期間のほぼ全幅となるパルス幅で電流パルスを供給する。５０％輝度で発光させる画素に対して、１００％輝度の場合の半分となる幅の電流パルスを供給する。この駆動法がパルス幅変調（以下、ＰＷＭともいう。）である。
【００１９】
特許文献３には、リセット駆動やプリチャージ駆動などの容量充電のための特別な駆動法を使用せず、駆動期間を選択期間よりも短く設定し、選択期間における駆動期間において画素に投入される電荷の量を要求輝度に応じた量に制御する駆動法（以下、電荷制御駆動という。）が提案されている。電荷制御駆動では、駆動期間において画素の容量に蓄積された電荷が、選択期間中の非駆動期間において画素に供給されるように制御する。
【００２０】
【特許文献１】特開平９−２３２０７４号公報（段落００２４〜段落００３２、図１〜図４）
【特許文献２】特開平１１−４５０７１号公報（段落００２２〜段落００２９、図２）
【特許文献３】特開２００４−１８４６４３号公報（段落００３２）
【発明の開示】
【発明が解決しようとする課題】
【００２１】
リセット駆動やプリチャージ駆動では、容量充電を実行した後、実際に画素を駆動する。容量充電の実行完了時の画素に印加されている電圧（充電電圧）が、画素を駆動する際にデータ配線に印加される電圧（駆動電圧）にまで達していない場合には、充電電圧と駆動電圧との差が輝度の低下を引き起こすことがある。図１２に、１００％輝度または１００％輝度に近い比較的高い輝度で発光させるときの画素に印加される印加電圧の例を示す。図１２において、横方向は定電流供給期間を示し、縦方向は印加電圧を示す。また、印加電圧の立ち上がり時点は、容量充電の実行完了時である。
【００２２】
図１２（ａ）に示すように充電電圧と駆動電圧とが一致している場合には、画素に直ちに所望の電流が流れる。しかし、図１２（ｂ）に示すように充電電圧よりも駆動電圧が高い場合には、容量充電の実行が完了しても、印加電圧が駆動電圧に達するまで同一列における選択されていない画素にも電流が流れる。その結果、点灯させる画素に投入される電荷が不足し、発光輝度が低下する。また、充電電圧よりも駆動電圧が低い場合には、容量充電の実行が完了した後、選択されている画素に対して、同一列における選択されていない画素の容量からも電流が流れる。その結果、点灯させる画素に投入される電荷が過剰になり、発光輝度が上昇する。
【００２３】
陰極配線１はある程度の抵抗値を有しているので、１行当たりの点灯画素数の相違に応じて陰極に流れ込む電流量が異なる。その結果、表示パターンの相違に応じて陰極電位が相違する。その相違と、充電電圧と駆動電圧との差とに応じて、画素を１００％輝度または１００％輝度に近い比較的高い輝度で発光させるときなど比較的高い輝度で発光させる場合でも、図１３（ｂ）に示すように、表示パターンに応じた横帯状のむらが発生する。この表示状態を横クロストークと呼ぶ。図１３には、（ａ）に示すように表示画面の一部を非点灯にし、他の部分を１００％輝度で発光させたいにもかかわらず、点灯画素数が多い行の陰極電位が上昇し、画素を構成する有機ＥＬ素子に所定の電流が流れず、（ｂ）に示すように所望の発光輝度より暗くなる例が示されている。
【００２４】
ＰＷＭを用いて低い輝度で発光させる場合には、横クロストークの問題がより大きくなる。図１４に、ＰＷＭによって画素を点灯させるときの印加電圧の例を示す。図１４において、横方向に定電流供給期間を示し、縦方向に印加電圧を示す。
【００２５】
図１４（ａ）に示すように充電電圧と駆動電圧とが一致している場合には、画素に直ちに所望の電流が流れる。しかし、図１４（ｂ）に示すように充電電圧と駆動電圧とが異なっている場合には、容量充電の実行が完了しても、印加電圧が駆動電圧に達するまで同一列における選択されていない画素にも電流が流れる。図１４（ｂ）に示すように、低い輝度で発光させる場合には印加電圧が駆動電圧に達しないうちに、電流をデータ配線に供給する駆動期間が終了してしまう。その場合、画素は所望の輝度（要求輝度）よりも低い輝度で発光する。有機ＥＬ表示装置において、すべての画素の電流電圧特性が揃っていれば一律に輝度低下する。しかし、電流電圧特性が異なる場合には、同じ電圧が印加されても画素を流れる電流値が異なって輝度が異なる。なお、画素の電流電圧特性とは、画素に印加される電圧値と画素に流れる電流との関係である。
【００２６】
電流電圧特性にばらつきがある場合、すなわち印加電圧に対して流れる電流が異なる画素がある場合には、同一の輝度で発光させるように定電流駆動しているにもかかわらず、ある画素は要求輝度で発光するが他の画素は低い輝度で発光する。その結果、視認できる程度に輝度が異なってしまう輝度むらが生ずる。
【００２７】
また、１００％輝度または１００％輝度に近い比較的高い輝度で発光させるときよりも、発生する横クロストークの程度が大きくなる。
【００２８】
さらに、有機ＥＬディスプレイにおけるすべての画素を対象として容量充電を実行する場合には、その分の電力が消費される。よって、表示パターンが点灯画素数の少ないパターンであっても、消費電力を、容量充電を実行するために消費される電力より低くすることはできない。
【００２９】
特許文献３に記載された電荷制御駆動によれば、リセット駆動やプリチャージ駆動を用いた場合に比べて、横クロストークや輝度むらの発生を抑制することができる。また、消費電力も低減する。しかし、電荷制御駆動では、特許文献３に記載されているようなハイインピーダンス期間が終了したときのデータ配線の電位を予測して、予測結果にもとづいて画素に電荷（残留電荷）を注入する。従って、輝度むらや横クロストークの発生を防止するために、電流印加期間における電流値を大きくしたり電流印加期間を長くしたりする必要がある。すると、消費電力を大きくせずに、高デューティで駆動することが求められる有機ＥＬ装置に適用することが難しくなる。例えば、高デューティで駆動する場合には、選択期間を短くする必要がある。そこで、電流印加期間を長くせずに所望の輝度を維持するには、電流印加期間における電流値を大きくする必要がある。しかし、定電流回路が供給できる電流には限界があるのが一般的であるから、電流印加期間をある程度長くせざるを得ない。その結果、高デューティで駆動することが難しくなる。
【００３０】
そこで、本発明は、高デューティで駆動する場合でも、有機ＥＬ表示装置において横クロストークや輝度むらの発生を抑制することができるようにすることを目的とする。
【課題を解決するための手段】
【００３１】
本発明による有機ＥＬ表示装置の駆動方法は、走査配線に選択電圧を印加する選択期間中に、定電流回路からデータ配線に定電流を供給した後にデータ配線をハイインピーダンス状態にし、ハイインピーダンス状態にした後、次の選択期間が開始されるまでの間にデータ配線に接地電位よりも高い所定電圧を印加する期間を設けることを特徴とする。
【００３２】
所定電圧として有機薄膜の発光開始電圧に略等しく、かつ該発光開始電圧以下の電圧を印加することが好ましい。
【００３３】
発光素子の周囲温度を測定し、測定結果に応じて所定電圧の値を変化させるように構成されていてもよい。そのような構成によれば、特に、発光素子の周囲温度に応じて変化する発光開始電圧を所定電圧として使用する場合に、発光素子の周囲温度に応じて所定電圧を制御できるようになる。
【００３４】
本発明による有機ＥＬ表示装置の駆動回路は、走査配線に選択電圧を印加する選択期間中に、定電流回路からデータ配線に定電流を供給する定電流供給手段（例えば、切替回路１７とスイッチ１８ｉとで実現される。）と、定電流供給手段がデータ配線に定電流を供給した後、データ配線をハイインピーダンス状態にするハイインピーダンス設定手段（例えば、切替回路１７とスイッチ１８ｉとで実現される。）と、接地電位よりも高い所定電圧を生成する所定電圧生成手段（例えば、電源回路１５で実現される。）と、ハイインピーダンス設定手段がデータ配線をハイインピーダンス状態にした後、次の選択期間が開始されるまでの間に所定電圧生成手段が生成した所定電圧をデータ配線に印加する電圧印加手段（例えば、切替回路１７とスイッチ１８ｉとで実現される。）とを備えたことを特徴とする。
【００３５】
所定電圧生成手段は、所定電圧として有機薄膜の発光開始電圧に略等しく、かつ該発光開始電圧以下の電圧を生成し、電圧印加手段は、データ配線に所定電圧を印加する期間では、所定電圧生成手段から供給される前記所定電圧を選択してデータ配線に印加するように構成されていてもよい。
【００３６】
有機薄膜の周囲温度を測定する温度測定手段（例えば、温度センサ１３で実現される。）を備え、所定電圧生成手段は、所定電圧を変化させることが可能な可変電圧発生手段（例えば、可変電圧生成回路１４で実現される。）を含み、可変電圧発生手段は、温度測定手段の測定結果に応じて所定電圧を変化させるように構成されていてもよい。そのような構成によれば、特に、発光素子の周囲温度に応じて変化する発光開始電圧を所定電圧として使用する場合に、発光素子の周囲温度に応じて所定電圧を制御できるようになる。
【発明の効果】
【００３７】
本発明による駆動方法および駆動回路によれば、輝度のばらつきを低減することができ、その結果、横クロストークの発生も抑制される。さらに、有機ＥＬ表示装置を、高デューティで駆動することができるようになる。
【発明を実施するための最良の形態】
【００３８】
（実施の形態１）
以下、本発明の実施の形態を図面を参照して説明する、図１は、本発明による駆動法を従来の駆動法（例えば、リセット駆動）と対比して示す示す概念図である。図２は、有機ＥＬ表示装置における配線の状態を示す概念図である。図１（ａ）は従来の駆動法を示し、図１（ｂ）は本発明による駆動法を示す。図１（ａ），（ｂ）のそれぞれにおいて、上段はデータドライバの出力電流波形を示し、下段は陽極電圧波形（陽極配線の電圧波形）を示す。
【００３９】
図２において、データドライバは、データ配線としての陽極配線に駆動時に定電流を与え、走査ドライバは、選択する走査配線としての陰極配線に選択電圧を与える。なお、この実施の形態では、走査配線が陰極配線であって、データ配線が陽極配線であるとする。データ配線としての陽極配線は、定電流回路に接続される状態、所定電位ＶＬに接続される状態、およびいずれにも接続されない状態（ハイインピーダンス状態）のいずれかの状態をとることができる。以下、図１（ｂ）における定電流が供給されている駆動期間を定電流期間、ハイインピーダンス状態にある期間をハイインピーダンス期間、所定電位ＶＬが印加されている状態を休止期間ということがある。よって、データ配線は、休止期間において所定電位ＶＬに接続される。また、選択期間は、定電流期間とハイインピーダンス期間との和の期間であるとする。
【００４０】
従来の駆動法では、単純マトリックス駆動法で画素を１００％輝度で発光させるときには、図１（ａ）に示すように、容量充電が完了した後、選択期間の最初から最後まで、選択されている画素（選択電圧が印加されている走査配線に接続されている画素）に定電流が供給される。なお、画素を例えば５０％輝度で発光させるときには、選択期間における５０％の期間において、選択されている画素に定電流が供給され、残り５０％の期間においてデータ配線の電位が接地電位とされ、画素に電流が流れないようにする。
【００４１】
それに対して、本発明による駆動法では、単純マトリックス駆動法で画素を１００％輝度で発光させるときには、図１（ｂ）に示すように、選択期間における所定期間において、定電流回路とデータ配線とが接続される状態にして、選択されている画素に定電流を供給する。また、選択期間における残りの期間において、定電流回路とデータ配線とが切り離される状態にして、データ配線をハイインピーダンス状態にする。さらに、休止期間においてデータ配線に所定電位ＶＬが印加される状態にする。なお、選択されている走査配線の電位を選択電圧としての０Ｖ（接地電位）とし、選択されていない走査配線の電位を選択電圧よりも高い電位にする。
【００４２】
また、画素を５０％輝度で発光させるときには、図１（ｂ）に示す定電流期間よりも短い所定期間において、定電流回路とデータ配線とが接続された状態にして、選択されている画素に定電流を供給する。また、選択期間における残りの期間において、定電流回路とデータ配線とが切り離される状態にして、データ配線をハイインピーダンス状態にする。さらに、休止期間においてデータ配線に所定電位ＶＬが印加される状態にする。
【００４３】
例えば、画素を５０％輝度で発光させるときには、選択期間において有機ＥＬ素子を通過する電荷の量が、１００％輝度で発光させるときの選択期間において有機ＥＬ素子を通過する電荷の量の半分になるように、定電流期間の長さを設定する。５０％輝度以外の階調の場合も、選択期間において有機ＥＬ素子を通過する電荷の量が、１００％輝度で発光させるときの選択期間において有機ＥＬ素子を通過する電荷の量に対して輝度差分だけ少なくなるように、定電流期間の長さを設定する。
【００４４】
定電流期間において定電流回路から投入される電荷は、１列におけるすべての画素の容量に蓄積されるとともに、選択されている画素のダイオード特性によって、選択されている画素を通過する。選択されている画素を通過することによって画素は発光する。また、ハイインピーダンス期間において、１列におけるすべての画素の容量に蓄積された電荷が、選択されている画素のダイオード特性によって、選択されている画素を通過する。従って、ハイインピーダンス期間においても画素は発光を継続する。
【００４５】
次に、本発明による駆動法を実現する駆動回路について説明する。図３は、有機ＥＬ表示装置の駆動回路の一例を有機ＥＬパネル１０および駆動回路の外に存在するＭＰＵ（Micro Processing Unit）４０とともに示すブロック図である。駆動回路は、コントローラ１１、データドライバ５、走査ドライバ６および電源回路１５を含む。また、図４は、データドライバ５の構成例を有機ＥＬパネル１０の一部および走査ドライバ６の一部とともに示す回路図である。図５は、駆動回路の動作を説明するためのタイミング図である。
【００４６】
ＭＰＵ４０は、駆動回路に対して表示データを出力する。表示データは、コントローラ１１に内蔵されているメモリ１１ａに格納される。有機ＥＬパネル１０は、複数の走査配線と複数のデータ配線とで有機薄膜が挟持された構造を有する。各走査配線と各データ配線とは、有機薄膜を挟んで交差するように（具体的には、直交するように）配置される。各走査配線と各データ配線との交差部分が有機ＥＬ素子を有する画素となる。各画素において、データ配線側から走査配線側に電流が流れることにより、その画素の有機薄膜が発光する。
【００４７】
コントローラ１１は、所定のタイミングで、メモリ内の表示データに応じたデータ（Ｄａｔａ）をデータドライバ５に出力する。また、コントローラ１１は、データドライバ５に対して、クロックパルス（ＣＰ）とラッチパルス（ＬＰ）をタイミング信号として出力する。データドライバ５は、ＬＰを用いて、入力された１行分のＤａｔａをラッチする。
【００４８】
また、コントローラ１１は、走査ドライバ６に対して、１フレームの開始を示すＦＬＭ（ファーストラインマーカ）および駆動する走査配線（選択行）の切替を示すＬＰをタイミング信号として出力する。
【００４９】
データドライバ５は、それぞれのデータ配線に対応した定電流回路を有し、ＬＰの入力に応じて、既にラッチされているＤａｔａに応じて、定電流回路からの定電流をデータ配線に供給する。このため、データドライバ５には、定電流回路を駆動するための電源電圧（データドライバ用電源電圧、ＶＳＨとする。）が供給される。また、データドライバ５は、点灯を示すＤａｔａに対応するデータ配線に定電流を流し、消灯を示すＤａｔａに対応するデータ配線に所定電位ＶＬを与える。さらに、本実施の形態では、休止期間において、データ配線に所定電位ＶＬが与えられる。
【００５０】
電源回路１５は、接地電位（選択電圧）ＶＳＳおよび非選択電圧ＶＣＨを走査ドライバ６に供給する。また、データドライバ用電源電圧ＶＳＨおよび所定電位ＶＬをデータドライバ５に供給する。
【００５１】
図４は、データドライバ５の構成例を有機ＥＬパネル１０の一部および走査ドライバ６の一部とともに示す回路図である。図４には、有機ＥＬパネル１０において１本の走査配線８１のみが示されている。また、各画素がダイオードとキャパシタの並列体で示されている。ＳＥＧｉ（ｉ＝１〜ｎ）はｉ番目のデータ配線を示し、ＣＯＭｘはｘ番目の走査配線を示す。各走査配線には、走査ドライバ６における切替回路１９の制御によって、選択電圧としての接地電位ＶＳＳまたは非選択電圧としてのＶＣＨが印加される。例えば、切替回路１９は、ＦＬＭが入力されると、入力されるＬＰの数のカウントを開始し、カウント値が示す行の走査配線に選択電圧ＶＳＳを印加し、他の走査配線に非選択電圧ＶＣＨを印加する（図５参照）。
【００５２】
データドライバ５において、各データ配線ＳＥＧｉ（ｉ＝１〜ｎ）に対応して設けられている定電流回路１２ｉ（ｉ＝１〜ｎ）とデータ配線ＳＥＧｉとの間には、スイッチ１８ｉ（ｉ＝１〜ｎ）が設けられている。各スイッチ１８ｉの接続状態は、データドライバ５における切替回路１７によって制御される。
【００５３】
切替回路１７には、ＣＰ、ＬＰおよびＤａｔａが入力される。切替回路１７は、ＬＰが入力されてから（具体的にはＬＰがハイレベルになった後にローレベルになったときから）所定数のＣＰが入力されるまでの間（定電流期間に相当）、点灯画素（選択期間においてオンする画素）に接続されたデータ配線ＳＥＧｉに定電流回路１２ｉの出力が接続され、Ｄａｔａが消灯を示している画素に対応したデータ配線ＳＥＧｉに所定電位ＶＬが印加されるように、スイッチ１８ｉを設定する。
【００５４】
なお、図５において、定電流期間をＴ１として示す。また、Ｔ１を、それぞれの階調レベルに応じた長さにする。具体的には、階調レベルに比例した長さにする。図５において、４つのＳＥＧ電流波形（データ配線の電流波形：データドライバの出力電流波形に相当）およびＳＥＧ電圧波形（データ配線の電圧波形）が例示されているが、最初の３つのＳＥＧ電流波形およびＳＥＧ電圧波形の違いは、階調レベルの相違を例示している。
【００５５】
定電流期間が経過すると、切替回路１７は、ハイインピーダンス期間に相当する数のＣＰが入力されるまでの間、スイッチ１８ｉを、点灯画素に接続されたデータ配線ＳＥＧｉと定電流回路１２ｉとが切り離される状態に設定して、そのデータ配線ＳＥＧｉをハイインピーダンス状態にする。なお、図５において、ハイインピーダンス期間をＴ２として示す。
【００５６】
さらに、ハイインピーダンス期間が経過すると、切替回路１７は、休止期間に相当する数のＣＰが入力されるまでの間、点灯画素に接続されたデータ配線ＳＥＧｉに所定電位ＶＬが印加されるように、スイッチ１８ｉを設定する。なお、図５において、休止期間をＴ３として示す。また、Ｔ３は、例えば、選択期間の１〜５％である。
【００５７】
なお、ここでは、切替回路１７は、入力されるＣＰの数を計数して定電流期間、ハイインピーダンス期間および休止期間の開始時点と終了時点とを確認したが、そのような確認の仕方は一例であって、他の方法を用いてもよい。また、図５では、休止期間がＬＰの幅と同じである例が示されているが、休止期間がＬＰの幅と同じであることは必須のことではない。ただし、ＬＰの幅を休止期間の長さと同じに設定した場合には、例えば、ＬＰがハイレベルに立ち上がった時点を休止期間の開始時点にすることができる。
【００５８】
次に、所定電位ＶＬの定め方を説明する。所定電位ＶＬは、使用する有機薄膜の発光開始電圧に略等しく、かつ該発光開始電圧以下の電位にすることが好ましい。発光開始電圧とは、その電圧以上の電圧を有機薄膜に印加して電流を流すと有機薄膜が発光することになる電圧である。発光開始電圧に略等しくすることが好ましいのは、ハイインピーダンス期間が開始されるとデータ配線の電位は徐々に低下するが、発光開始電圧に収束していくからである。換言すれば、ハイインピーダンス期間は、ハイインピーダンス期間が開始されてからデータ配線の電位が発光開始電圧にまで低下するまでの時間よりも長いことが好ましい。なお、データ配線の電位が発光開始電圧にまで低下するまでの時間は、画素の容量（寄生容量）と主としてデータ配線の抵抗値とによる時定数で決まる。
【００５９】
特許文献３に記載された駆動法では、選択期間の終了時に１列分の画素に残留する電荷の量（残存電荷量）にもとづくハイインピーダンス期間終了時のデータ配線の電位がほぼ一定になるようにして、画面内の表示を均一にし、輝度むらおよび横クロストークの発生を防止していた。すなわち、定電流期間において、残存電荷量に相当する電荷を余分にデータ配線に供給する必要があった。この実施の形態では、ハイインピーダンス期間終了時にデータ配線の電位が所定値（ほぼ発光開始電圧）に収束することに着目し、休止期間においてデータ配線の電位を所定値（ほぼ発光開始電圧）に維持することによって、各データ配線が等しい電位に設定される。その結果、輝度むらおよび横クロストークの発生が防止される。
【００６０】
よって、定電流期間において、残存電荷量に相当する電荷を余分にデータ配線に供給する必要がなくなる。従って、特許文献３に記載された駆動法に比べて定電流期間を短くすることができる。その結果、特許文献３に記載された駆動法に比べて、高デューティで駆動することが可能になる。
【００６１】
（実施の形態２）
図６は、第２の実施の形態（実施の形態２）を説明するための説明図である。より具体的には、有機ＥＬパネル１０の周囲温度の変化と発光開始電圧の変化との関係を模式的に示す説明図である。図６に示すように、一般に、周囲温度が室温（例えば２５℃）であるときに比べて高くなると、発光開始電圧は上昇する。また、周囲温度が室温であるときに比べて低くなると、発光開始電圧は上昇する。
【００６２】
図７は、本発明の第２の実施の形態の駆動回路を示すブロック図である。図７に示すように、有機ＥＬパネル１０の近傍には、有機ＥＬパネル１０の周囲温度を測定する温度センサ１３が設置されている。また、電源回路１５は、所定電圧ＶＬを生成する可変電圧生成回路１４を有している。可変電圧生成回路１４は、以下に説明するように、所定電圧ＶＬの値を変更可能である。
【００６３】
図７に示す例では、可変電圧生成回路１４は、温度センサ１３の出力信号、すなわち、有機ＥＬパネル１０の周囲温度に応じた値を示す信号が入力される可変抵抗器１４ａを有する。可変抵抗器１４ａの一端は電源電圧（所定電圧ＶＬよりも高い電圧）に接続され、他端は固定抵抗器に接続されている。可変抵抗器１４ａの他端の電圧が可変電圧生成回路１４の出力になる。可変電圧生成回路１４の出力は、ボルテージフォロア接続された演算増幅器１４ｂを介して所定電圧ＶＬとして電源回路１５から出力される。
【００６４】
可変電圧生成回路１４として、温度センサ１３の出力信号がより高い温度を示している場合に抵抗値が大きくなり、温度センサ１３の出力信号がより低い温度を示している場合に抵抗値が小さくなるように構成されたものを使用する。すなわち、温度センサ１３の出力信号がより高い温度を示している場合には、可変電圧生成回路１４の出力電圧は低くなり、温度センサ１３の出力信号がより低い温度を示している場合には可変電圧生成回路１４の出力電圧は高くなる。
【００６５】
例えば、図６に示す例において、室温を２５℃とし、高温を８０℃とし、低温を０℃とする。また、室温での発光開始電圧を１８Ｖ、高温での発光開始電圧を１６Ｖ、低温での発光開始電圧を２２Ｖとする。その場合、可変電圧生成回路１４の可変抵抗器１４ａは、温度センサ１３の出力信号が２５℃を示しているときには可変電圧生成回路１４の出力電圧が１８Ｖになり、温度センサ１３の出力信号が８０℃を示しているときには可変電圧生成回路１４の出力電圧が１６Ｖになり、温度センサ１３の出力信号が０℃を示しているときには可変電圧生成回路１４の出力電圧が２２Ｖになるように構成される。さらに、温度センサ１３の出力信号が２５℃と８０℃との間の温度ｔを示している場合には、例えば２５℃と８０℃との間で発光開始電圧が直線状に変化すると仮定して、温度ｔに応じた出力電圧が可変電圧生成回路１４から出力されるように、可変抵抗器１４ａの抵抗値が温度ｔに応じて変化するように構成される。温度センサ１３の出力信号が２５℃と０℃との間の温度ｔを示している場合には、例えば２５℃と０℃との間で発光開始電圧が直線状に変化すると仮定して、温度ｔに応じた出力電圧が可変電圧生成回路１４から出力されるように、可変抵抗器１４ａの抵抗値が温度ｔに応じて変化するように構成される。
【００６６】
上述したように、休止期間においてデータ配線に印加される電圧は発光開始電圧であることが望ましいのであるが、図６に示すように、発光開始電圧は有機薄膜の温度に応じて変化する。しかし、本実施の形態では、有機薄膜の温度（現実の実施形態では、有機ＥＬパネル１０の周囲温度が測定される。）が変化して発光開始電圧が変化しても、変化後の発光開始電圧に相当する所定電圧ＶＬをデータ配線に印加することができる。
【００６７】
なお、可変電圧生成回路１４として図７に示す構成を例示したが、そのような構成は一例であって、温度センサ１３の出力信号に応じて出力電圧を変えることができるのであれば、他の構成を用いてもよい。
【産業上の利用可能性】
【００６８】
本発明は、有機ＥＬ表示装置を、クロストークが生じないように、かつ、輝度を均一に保つために好適に適用される。
【図面の簡単な説明】
【００６９】
【図１】本発明による駆動法を従来の駆動法と対比して示す示す概念図。
【図２】有機ＥＬ表示装置における配線の状態を示す概念図。
【図３】有機ＥＬ表示装置の駆動回路の一例を示すブロック図。
【図４】データドライバの構成例を有機ＥＬパネルの一部および走査ドライバ６の一部とともに示す回路図。
【図５】駆動回路の動作を説明するためのタイミング図。
【図６】有機ＥＬパネルの周囲温度の変化と発光開始電圧の変化との関係を模式的に示す説明図。
【図７】有機ＥＬ表示装置の駆動回路の他の例を示すブロック図。
【図８】（ａ）は有機ＥＬ表示装置を示す斜視図、（ｂ）は有機ＥＬ表示装置を示す断面図。
【図９】有機ＥＬ素子の等価回路図。
【図１０】表示パターンの一例を示す説明図。
【図１１】駆動波形の一例を示す波形図。
【図１２】従来法によって画素に印加される印加電圧の例を示す波形図。
【図１３】横クロストークが発生している様子を示す説明図。
【図１４】従来法によってＰＷＭによって画素を点灯させるときの印加電圧の例を示す波形図。
【符号の説明】
【００７０】
１  陽極配線
２  陰極配線
５  データドライバ
６  走査ドライバ
１０  有機ＥＬパネル
１１  コントローラ
１２ｉ  定電流回路
１３  温度センサ
１４  可変電圧生成回路
１５  電源回路
１７  切替回路
１８ｉ  スイッチ
１９  切替回路
１８ｉ  スイッチ
【図１】
2007121925.tif 000003
【図２】
2007121925.tif 000004
【図３】
2007121925.tif 000005
【図４】
2007121925.tif 000006
【図５】
2007121925.tif 000007
【図６】
2007121925.tif 000008
【図７】
2007121925.tif 000009
【図８】
2007121925.tif 000010
【図９】
2007121925.tif 000011
【図１０】
2007121925.tif 000012
【図１１】
2007121925.tif 000013
【図１２】
2007121925.tif 000014
【図１３】
2007121925.tif 000015
【図１４】
2007121925.tif 000016